(57)【要約】【課題】センサ部が配置されたセンサユニットを備え、光源から照射される光の見えやすさを確保しつつ、センサユニットをコンパクトにできる吐出装置を提供すること。【解決手段】吐出装置３は、発光部３２ａ及び受光部３２ｂを有するセンサ部３２が配置されたセンサユニット３２０を備える吐出装置３であって、センサユニット３２０に配置され、光を照射する光源部３３と、光源部３３の光の照射方向側に配置される導光部材３２３と、を備える。光源部３３、発光部３２ａ及び受光部３２ｂは、１つの基板３２２に配置される。【選択図】図４
2018019779.tif 000002
【特許請求の範囲】
【請求項１】
発光部及び受光部を有するセンサ部が配置されたセンサユニットを備える吐出装置であって、
前記センサユニットに配置され、光を照射する光源部と、
前記光源部の光の照射方向側に配置される導光部材と、を備える吐出装置。
【請求項２】
前記光源部、前記発光部及び前記受光部は、１つの基板に配置される請求項１に記載の吐出装置。
【請求項３】
前記光源部、前記発光部及び前記受光部は、並んで配置される請求項１又は２に記載の吐出装置。
【請求項４】
前記センサユニットは、前記発光部及び前記受光部の前方に配置されるセンサ窓を有し、
前記吐出装置は、液体が吐出される吐出部を更に備え、
前記吐出部は、後方に向かうにしたがって下方に向かうように傾斜して延びると共に前記センサ窓が配置される傾斜面部を有する請求項１から３のいずれかに記載の吐出装置。
【発明の詳細な説明】
【技術分野】
【０００１】
本発明は、吐出装置に関する。
【背景技術】
【０００２】
従来、手を検知するセンサ（センサ部）が配置されたセンサユニットと、センサにより手が検知された場合に水石鹸を吐出する水石鹸吐出部と、タンク内の水石鹸の量が少なくなった場合に点灯して水石鹸の補給のタイミングを報知するＬＥＤなどの補給灯（光源）と、を備える水石鹸の吐出装置が知られている（例えば、特許文献１及び２参照）。特許文献１及び２の吐出装置においては、手を検知するセンサと、ＬＥＤなどの補給灯（光源）とは、別々の場所に配置されている。
【先行技術文献】
【特許文献】
【０００３】
【特許文献１】特開２００６−２７１４０４号公報
【特許文献２】特開平４−２８３１３号公報
【発明の概要】
【発明が解決しようとする課題】
【０００４】
水石鹸の補給のタイミングを報知するＬＥＤ（光源）は、吐出装置のメンテナンス作業を行う管理者から見えやすいように、水石鹸吐出部の近くに配置されていることが好ましい。一方、水石鹸吐出部の近くには、手を検知するセンサが配置されている場合が多い。そのため、水石鹸の補給のタイミングを報知するＬＥＤ（光源）を、手を検知するセンサの近くに配置されることも考えられる。
【０００５】
水石鹸の補給のタイミングを報知するＬＥＤと手を検知するセンサとを近い位置に配置する場合に、センサのセンサ窓をＬＥＤの窓と共用することがある。この場合には、センサ窓の内部側に、センサやセンサ用の基板を配置することに加えて、ＬＥＤやＬＥＤ用の基板などを配置する必要があり、センサ窓の内部側におけるセンサ窓に近い部分が大型化する虞がある。
一方、センサ窓に近い部分の大型化を抑制するためにＬＥＤをセンサ窓から奥まった位置に配置すると、ＬＥＤから照射される光が外部から見えにくくなる虞がある。
そのため、ＬＥＤ（光源）から照射される光の見えやすさを確保しつつ、センサユニットをコンパクトにできる吐出装置が望まれている。
【０００６】
本発明は、センサ部が配置されたセンサユニットを備え、光源から照射される光の見えやすさを確保しつつ、センサユニットをコンパクトにできる吐出装置を提供することを目的とする。
【課題を解決するための手段】
【０００７】
本発明は、発光部（例えば、後述の発光部３２ａ）及び受光部（例えば、後述の受光部３２ｂ）を有するセンサ部（例えば、後述のセンサ３２）が配置されたセンサユニット（例えば、後述のセンサユニット３２０）を備える吐出装置（例えば、後述の水石鹸吐出装置３）であって、前記センサユニットに配置され、光を照射する光源部（例えば、後述の報知ＬＥＤ３３）と、前記光源部の光の照射方向側に配置される導光部材（例えば、後述の導光部材３２３）と、を備える吐出装置に関する。
【０００８】
また、前記光源部、前記発光部及び前記受光部は、１つの基板（例えば、後述のセンサ基板３２２）に配置されることが好ましい。
【０００９】
また、前記光源部、前記発光部及び前記受光部は、並んで配置されることが好ましい。
【００１０】
また、前記センサユニットは、前記発光部及び前記受光部の前方に配置されるセンサ窓（例えば、後述のセンサ窓部材３７３ｄ）を有し、前記吐出装置は、液体が吐出される吐出部を更に備え、前記吐出部は、上下方向に延びる先端面部（例えば、後述の先端面部３７２）と、前記先端面部の下端部に接続され、前記先端面部から後方に向かうにしたがって下方に向かうように傾斜して延びると共に、前記センサ窓が配置される傾斜面部（例えば、後述の傾斜面部３７３）と、を有することが好ましい。
【発明の効果】
【００１１】
本発明によれば、センサ部が配置されたセンサユニットを備え、光源から照射される光の見えやすさを確保しつつ、センサユニットをコンパクトにできる吐出装置を提供することができる。
【図面の簡単な説明】
【００１２】
【図１】本発明の一実施形態に係る手洗装置の全体斜視図である。
【図２】本発明の一実施形態に係る水石鹸吐出装置の水石鹸吐出器具を示す斜視図である。
【図３】本発明の一実施形態に係る水石鹸吐出装置の水石鹸吐出器具の正面図である。
【図４】センサユニットの内部を示す断面図である。
【図５】センサユニットの主要な構成部品の位置関係を示す斜視図である。
【発明を実施するための形態】
【００１３】
以下、本発明の一実施形態について、図面を参照しながら説明する。なお、本発明は以下の実施形態に限定されるものではない。図１は、本発明の一実施形態に係る手洗装置１の全体斜視図である。図２は、本発明の一実施形態に係る水石鹸吐出装置３の水石鹸吐出器具３０を示す斜視図である。図３は、本発明の一実施形態に係る水石鹸吐出装置３の水石鹸吐出器具３０の正面図である。図４は、センサユニット３２０の内部を示す断面図である。図５は、センサユニット３２０の主要な構成部品の位置関係を示す斜視図である。
【００１４】
本実施形態に係る水石鹸吐出装置３は、例えば鉄道の駅等の公共施設のトイレや洗面所に設置される手洗装置１に自動水栓等の吐水装置と共に設置され、人の手等の物体をセンサで検知し、その検知信号に基づいて自動的に水石鹸の吐出を行うものである。
【００１５】
図１に示すように、本実施形態に係る手洗装置１は、吐水装置２０と、水石鹸吐出装置３と、ボウル１０１と、台１１０と、を備える。水石鹸吐出装置３（液体吐出装置）は、水石鹸吐出器具３０（液体吐出部）と、水石鹸供給部４０と、エア供給部５０と、制御ユニット６０と、水石鹸吐出装置３の一部を収容する金属筐体７０と、を有する。
【００１６】
台１１０は、手洗装置１における下部を構成する。台１１０の内部には、水石鹸吐出装置３の一部が金属筐体７０に囲まれた状態で収容され、かつ、図示しない排水管やその他の配管等の設備機器が収容される。
また、台１１０の上方において、手洗部１０が配置されている。手洗部１０は、ボウル１０１と、吐水装置２０と、水石鹸吐出器具３０と、を含んで構成される。
【００１７】
吐水装置２０は、吐水装置本体２１の先端側に、物体を検知するセンサ２２と、吐水口２３と、を有する。吐水装置２０は、人の手等の物体がセンサ２２の検知範囲内に入ることでセンサ２２が物体を検知すると、自動的に吐水口２３から水（あるいは湯）を吐出する。
【００１８】
水石鹸吐出器具３０は、図１に示すように、器具本体３１（本体部）の先端側に、物体を検知するセンサ３２と、光を照射する報知ＬＥＤ３３と、吐出口部３４と、を有する。水石鹸吐出器具３０は、後述する水石鹸吐出装置３の一部を構成する。水石鹸吐出器具３０の内部構造については後述する。
【００１９】
吐出口部３４は、水石鹸（液体）と空気が混合されることで形成される泡を先端部から吐出する。
【００２０】
センサ３２は、後述する制御ユニット６０と電気的に接続されており、物体を検知すると検知信号を制御ユニット６０に送信する。水石鹸吐出器具３０は、人の手等の物体がセンサ３２の検知範囲内に入ることでセンサ３２が物体を検知すると、自動的に吐出口部３４から水石鹸を吐出する。
【００２１】
報知ＬＥＤ３３は、水石鹸を貯留する水石鹸タンク４１への水石鹸の補充のタイミングを報知する。報知ＬＥＤ３３は、後述する制御ユニット６０と電気的に接続されており、液位センサ（図示せず）に検知される水石鹸の液位信号が入力された制御ユニット６０から出力された信号に基づいて、水石鹸タンク４１への水石鹸の補充のタイミングを、例えば、点滅、点灯及び消灯により報知する。
【００２２】
ボウル１０１は、吐水装置２０から吐水され手洗いに使用された水や、水石鹸吐出器具３０から吐出され手洗いに使用された水石鹸を受けて排出する。ボウル１０１の略中央の窪みには排水口１０２が形成されている。排水口１０２は、図示しない排水管と連通している。ボウル１０１が受けた水や水石鹸は、排水口１０２に導かれ、排水口１０２から排水管を通じて下水道等の外部に排出される。
【００２３】
本実施形態に係る水石鹸吐出装置３の構成について説明する。
水石鹸吐出装置３は、図１に示すように、水石鹸吐出器具３０と、水石鹸供給部４０と、エア供給部５０と、制御ユニット６０と、水石鹸供給部４０の一部及び制御ユニット６０を収容する金属筐体７０と、を有する。
【００２４】
水石鹸供給部４０は、水石鹸タンク４１（タンク）と、水石鹸用ポンプ４２（ポンプ）と、水石鹸供給管４３と、を備える。水石鹸タンク４１は、水石鹸吐出器具３０に供給される水石鹸を貯留する。
【００２５】
金属筐体７０は、水石鹸供給部４０の水石鹸タンク４１、水石鹸用ポンプ４２及び制御ユニット６０を収容した状態で、例えば、図１に示すように、台１１０の内部の下部に配置される。金属筐体７０は、金属材料により形成される。
【００２６】
水石鹸供給管４３は、水石鹸タンク４１と水石鹸吐出器具３０とを接続する配管であり、水石鹸が流通する。水石鹸供給管４３の途中には、水石鹸用ポンプ４２が設けられている。
水石鹸用ポンプ４２は、水石鹸タンク４１に貯留された水石鹸を水石鹸吐出器具３０に向けて送出する。
【００２７】
エア供給部５０は、エアポンプ５１と、空気供給管５２と、を備える。空気供給管５２は、水石鹸吐出器具３０に水石鹸の泡を形成するための空気を供給する配管である。エアポンプ５１は、モータ等の駆動部を有し、駆動部を駆動させることで空気を圧縮し、空気供給管５２を通じて空気を下流側に圧送する。エアポンプ５１は制御ユニット６０と電気的に接続されており、制御ユニット６０から送信される制御信号に基づいて、空気を水石鹸吐出器具３０に供給する。
【００２８】
制御ユニット６０は、ＣＰＵ及びメモリを含んで構成され、水石鹸吐出器具３０や水石鹸用ポンプ４２やエアポンプ５１の動作を制御することで、水石鹸吐出装置３を制御する。制御ユニット６０は、制御用ＩＣや、制御用ＩＣなどが実装される回路基板を備える。
制御ユニット６０は、センサ３２からの検知信号に基づき水石鹸用ポンプ４２及びエアポンプ５１に制御信号を送信する。
制御ユニット６０は、液位センサ（図示せず）が水石鹸タンク４１に貯留される水石鹸の液位の低下を検知した場合に、検知結果を点滅又は点灯して報知するように、報知ＬＥＤ３３を制御する。
【００２９】
水石鹸吐出器具３０について説明する。
水石鹸吐出器具３０は、図２〜図４に示すように、器具本体３１と、吐出口部３４と、を備える。器具本体３１は、図４に示すように、センサ３２及び報知ＬＥＤ３３を含むセンサユニット３２０と、保持部材３５と、本体ケース３７と、を備える。
【００３０】
本体ケース３７は、図２〜図４に示すように、略円筒状の金属部材である。本体ケース３７の内部には、センサユニット３２０及び保持部材３５が収容される。
本体ケース３７は、図２に示すように、筒状周面部３７１と、先端側の上部に形成される先端面部３７２と、先端側の下部に形成される傾斜面部３７３と、を有する。
【００３１】
筒状周面部３７１は、図２に示すように、基端部３７１ａから先端側に延びる円筒状に形成される。筒状周面部３７１は、基端部３７１ａ側が開口しており、先端側には、先端面部３７２及び傾斜面部３７３が設けられる。
【００３２】
先端面部３７２は、本体ケース３７の先端の上部に配置され、上下方向に延びる。先端面部３７２は、上方側が凸となる略半円形状の板材により形成される。
【００３３】
傾斜面部３７３は、本体ケース３７の先端の下部に形成される。傾斜面部３７３は、先端面部３７２の下端部から、基端部３７１ａ側の後方に向かうにしたがって下方に向かうように傾斜して延びる。傾斜面部３７３は、下方側が凸となる略半円形状に形成される。
【００３４】
傾斜面部３７３は、略半円形状の枠状に形成される枠部３７３ａと、枠部３７３ａの内側に配置される化粧カバー３７３ｂと、を有する。化粧カバー３７３ｂは、枠部３７３ａの内側の部分の形状に対応した略半円形状の板状に形成される。
【００３５】
化粧カバー３７３ｂは、センサ開口部３７３ｃと、吐出口部用開口部３７３ｅと、を有する。センサ開口部３７３ｃは、傾斜面部３７３における斜面の上方側に形成される。吐出口部用開口部３７３ｅは、傾斜面部３７３の斜面における下方側に形成される。
【００３６】
センサ開口部３７３ｃは、下端の角部の両方がカットされた長方形状に開口して形成される。センサ開口部３７３ｃには、透過性を有する材料により形成されたセンサ窓部材３７３ｄが配置される。センサ窓部材３７３ｄは、センサユニット３２０の一部を構成し、センサ窓部材３７３ｄの内部側には、図４に示すように、センサ３２及び報知ＬＥＤ３３が配置される。
【００３７】
吐出口部用開口部３７３ｅは、円形状に開口して形成される。吐出口部用開口部３７３ｅには、吐出口部３４が器具本体３１に装着される場合に、吐出口部３４が挿入される。
【００３８】
保持部材３５は、図４に示すように、本体ケース３７の内部に配置され、センサユニット３２０を保持し、吐出口部３４を着脱可能に保持する。保持部材３５は、樹脂製の部材により形成される。
【００３９】
センサ収容部３５３は、本体ケース３７における傾斜面部３７３のセンサ開口部３７３ｃに連通するように形成される。センサ収容部３５３は、センサユニット３２０の外形とほぼ同じ形状及び大きさの凹形状に形成される。センサ収容部３５３にセンサユニット３２０が挿入されることで、センサユニット３２０は保持部材３５に保持される。
【００４０】
次に、センサユニット３２０について説明する。
センサユニット３２０は、図４及び図５に示すように、センサケース３２１と、１つのセンサ基板３２２と、発光部３２ａ及び受光部３２ｂを有するセンサ３２（センサ部）と、光源部としての報知ＬＥＤ３３と、導光部材３２３と、発光部３２ａに対応する発光部側レンズ３２４ａと、受光部３２ｂに対応する受光部側レンズ３２４ｂと、スリット板３２５と、後部側構成部材３２６と、を有する。
【００４１】
センサケース３２１は、箱状に形成され、センサケース３２１の内部には、センサ基板３２２、発光部３２ａ及び受光部３２ｂを有するセンサ３２、光源部としての報知ＬＥＤ３３、導光部材３２３、発光部側レンズ３２４ａ、受光部側レンズ３２４ｂ、スリット板３２５、及び後部側構成部材３２６が収容される。本実施形態においては、センサ３２の発光部３２ａ及び受光部３２ｂと、報知ＬＥＤ３３とは、１つのセンサ基板３２２の実装面に実装されることで、１つのセンサ基板３２２の実装面側に配置されている。
【００４２】
センサケース３２１の一端面（図４における前方側の面）には、センサ窓部材３７３ｄが設けられる。センサ窓部材３７３ｄは、左右方向Ｘに延びる。センサ窓部材３７３ｄは、センサユニット３２０が水石鹸吐出装置３に取り付けられた場合に、本体ケース３７の傾斜面部３７３のセンサ開口部３７３ｃ（図３参照）に配置される。なお、本実施形態においては、センサケース３２１におけるセンサ窓部材３７３ｄが設けられた一端面側を先端側（前方側、手前側）ともいい、センサケース３２１におけるセンサ窓部材３７３ｄが設けられた側と反対側を後方側（奥側）ともいう。
【００４３】
センサ基板３２２は、センサユニット３２０の内部において、後部側構成部材３２６やセンサケース３２１などに支持されている。センサ基板３２２は、図４及び図５に示すように、板状に形成され、外形が略長方形に形成される。センサ基板３２２は、本体ケース３７における傾斜面部３７３と同じ傾斜角度で傾斜して配置される。センサ基板３２２は、水石鹸吐出器具３０の使用者から視た場合における左右方向Ｘに延びる。
【００４４】
センサ基板３２２の実装面は、図４に示すように、センサケース３２１の内部において、センサ窓部材３７３ｄ側を向いている。センサ基板３２２の実装面には、左右方向Ｘの一方側（図４及び図５の紙面において左側）から他方側（図４及び図５の紙面において右側）に向けて、後述するセンサ３２の発光部３２ａ、報知ＬＥＤ３３、センサ３２の受光部３２ｂが、この順に並んで配置されている。
【００４５】
報知ＬＥＤ３３は、前述の通り、液位センサ（図示せず）に検知される水石鹸の液位信号が入力された制御ユニット６０から出力された信号に基づいて、水石鹸タンク４１への水石鹸の補充のタイミングを、例えば、点滅、点灯及び消灯により報知する。
報知ＬＥＤ３３は、センサユニット３２０の左右方向Ｘにおいてセンサ３２の発光部３２ａと受光部３２ｂとの間に配置される。報知ＬＥＤ３３は、センサユニット３２０における左右方向Ｘの略中央に配置される。報知ＬＥＤ３３は、センサ窓部材３７３ｄ側に向けて、光を照射する。報知ＬＥＤ３３は、例えば、ＬＥＤ（Ｌｉｇｈｔ  Ｅｍｉｔｔｉｎｇ  Ｄｉｏｄｅ）で構成される。
【００４６】
導光部材３２３は、報知ＬＥＤ３３とセンサ窓部材３７３ｄとの間に配置される。導光部材３２３は、報知ＬＥＤ３３から離間して、報知ＬＥＤ３３の光の照射方向Ｓ側に配置される。導光部材３２３は、円柱状に形成され、報知ＬＥＤ３３の光の照射方向Ｓに延びる。導光部材３２３は、報知ＬＥＤ３３から照射された光を、後端３２３ａから入光して、照射方向Ｓに導き、先端３２３ｂから出光する。導光部材３２３は、例えば、アクリル樹脂で構成される。
【００４７】
以上の導光部材３２３、報知ＬＥＤ３３及びセンサ基板３２２は、報知ＬＥＤ３３の光の照射方向Ｓにおけるセンサ窓部材３７３ｄとセンサ基板３２２との間において、センサ窓部材３７３ｄ側から、導光部材３２３、報知ＬＥＤ３３、センサ基板３２２の順に配置される。
【００４８】
センサ３２は、発光部３２ａと受光部３２ｂとを有する。発光部３２ａは、左右方向Ｘにおいて報知ＬＥＤ３３の一方側（図４及び図５における左右方向Ｘの左側）に配置され、受光部３２ｂは、左右方向Ｘにおいて報知ＬＥＤ３３の他方側（図４及び図５における左右方向Ｘの右側）に配置される。言い換えると、発光部３２ａ及び受光部３２ｂは、左右方向Ｘにおいて、報知ＬＥＤ３３を挟んで報知ＬＥＤ３３の両側の隣りに配置される。
センサ３２としては、例えば、赤外線式センサが挙げられる。センサ３２は、発光部３２ａから光を出射し、出射した光による人の手等の被検知物からの反射光を受光部３２ｂで受光し、所定の検知範囲内に被検知物があるか否かを検知する。
【００４９】
発光部側レンズ３２４ａは、発光部３２ａとセンサ窓部材３７３ｄとの間に配置される。発光部側レンズ３２４ａは、発光部３２ａから離間して、発光部３２ａの発光方向側に配置される。
【００５０】
受光部側レンズ３２４ｂは、受光部３２ｂとセンサ窓部材３７３ｄとの間に配置される。受光部側レンズ３２４ｂは、受光部３２ｂから離間して、受光部３２ｂにおける受光部３２ｂに入光する光側に配置される。
【００５１】
スリット板３２５は、センサ３２の発光部３２ａ及び報知ＬＥＤ３３の前方（センサ窓部材３７３ｄ）側に配置される。スリット板３２５は、センサ基板３２２に平行な板状に形成される。スリット板３２５は、左右方向Ｘ（報知ＬＥＤ３３の光の照射方向Ｓに直交する方向）に延びる。スリット板３２５は、センサ３２の発光部３２ａ及び発光部側レンズ３２４ａの間の空間と、報知ＬＥＤ３３及び導光部材３２３の間の空間とを左右方向Ｘに繋ぐように延びる。
【００５２】
スリット板３２５は、図５に示すように、発光部側スリット３２５ａと、報知ＬＥＤ側スリット３２５ｂと、を有する。発光部側スリット３２５ａ及び報知ＬＥＤ側スリット３２５ｂは、発光部３２ａ又は報知ＬＥＤ３３の光の照射範囲を絞るようにスリット状に形成される。
発光部側スリット３２５ａは、センサ３２の発光部３２ａと発光部側レンズ３２４ａとの間に配置され、左右方向Ｘ及び報知ＬＥＤ３３の照射方向Ｓに直交する方向に延びるスリット状に形成される。
報知ＬＥＤ側スリット３２５ｂは、報知ＬＥＤ３３と導光部材３２３との間に配置され、左右方向Ｘに延びるスリット状に形成される。
【００５３】
以上説明した本実施形態に係る水石鹸吐出装置３によれば、以下のような効果を奏する。
本実施形態に係る水石鹸吐出装置３は、発光部３２ａ及び受光部３２ｂを有するセンサ部３２が配置されたセンサユニット３２０を備える水石鹸吐出装置３であって、センサユニット３２０に配置され、光を照射する報知ＬＥＤ３３と、報知ＬＥＤ３３の光の照射方向Ｓ側に配置される導光部材３２３と、を備える。
すなわち、本実施形態のセンサユニット３２０において、報知ＬＥＤ３３をセンサユニット３２０に配置する場合に、導光部材３２３を、報知ＬＥＤ３３における光の照射方向Ｓ側に配置した。
【００５４】
そのため、報知ＬＥＤ３３をセンサユニット３２０の奥側に配置した状態で、報知ＬＥＤ３３の光を導光部材３２３により前方まで導くことができる。これにより、メンテナンス作業を行う管理者に視認しやすい位置に報知ＬＥＤ３３からの光を導くことができる。よって、報知ＬＥＤ３３から照射される光の見えやすさを確保できる。
また、報知ＬＥＤ３３をセンサユニット３２０の奥側に配置できるため、センサユニット３２０の先端側（前方側、手前側）に、報知ＬＥＤ３３を配置するスペースを設けなくてよい。そのため、センサユニット３２０の先端側（前方側、手前側）に、他の部材を配置するスペース以外に、報知ＬＥＤ３３を配置するスペースを設けなくてよいため、センサユニット３２０をコンパクトに形成できる。
よって、本実施形態に係る水石鹸吐出装置３によれば、報知ＬＥＤ３３から照射される光の見えやすさを確保しつつ、センサユニット３２０をコンパクトに形成できる。
【００５５】
また、本実施形態に係る水石鹸吐出装置３においては、報知ＬＥＤ３３、発光部３２ａ及び受光部３２ｂは、１つのセンサ基板３２２に配置される。そのため、報知ＬＥＤ３３、発光部３２ａ及び受光部３２ｂを、１つのセンサ基板３２２に配置するため、センサユニット３２０をコンパクトにできる。また、１つのセンサ基板３２２に配置するため、センサ基板を２つにするよりも、センサ基板に要するコストを低減できる。
【００５６】
また、本実施形態に係る水石鹸吐出装置３においては、報知ＬＥＤ３３、発光部３２ａ及び受光部３２ｂは、並んで配置される。そのため、報知ＬＥＤ３３、発光部３２ａ及び受光部３２ｂを１列に配置するため、報知ＬＥＤ３３、発光部３２ａ及び受光部３２ｂが並んで配置されない場合よりも、センサユニット３２０をコンパクトに形成できる。
【００５７】
また、本実施形態においては、発光部３２ａ、報知ＬＥＤ３３及び受光部３２ｂを、この順に配置している。そのため、報知ＬＥＤ３３を、発光部３２ａと受光部３２ｂとの間に配置することで、報知ＬＥＤ３３から照射される光をセンサユニット３２０における目立つ位置で光らせることができる。
【００５８】
また、本実施形態に係る水石鹸吐出装置３においては、センサ窓部材３７３ｄは、傾斜面部３７３に配置される。そのため、報知ＬＥＤ３３を、報知ＬＥＤ３３からの光を視認させたくない水石鹸吐出器具３０の使用者にとっては視認しにくい位置に配置でき、メンテナンス作業を行う管理者にとっては少し屈むことで視認できる位置に配置できる。
【００５９】
本発明は上記実施形態に限定されるものではなく、本発明の目的を達成できる範囲での変形、改良等は本発明に含まれる。
例えば、前記実施形態において、報知ＬＥＤ３３に導かれる光の強さを調整するために、導光部材３２３の先端面の表面粗さを加工することもできる。
【００６０】
また、前記実施形態においては、センサ基板３２２を１つで構成したが、これに限定されない。センサ基板は、例えば、２つ以上で構成してもよい。
【００６１】
また、前記実施形態においては、センサ３２の発光部３２ａ、報知ＬＥＤ３３、センサ３２の受光部３２ｂを、左右方向Ｘの一方側（図４及び図５の紙面において左側）から他方側（図４及び図５の紙面において右側）に向けて、この順に配置したが、配置の順番はこれに限定されず、あらゆる順番で配置できる。例えば、発光部３２ａ及び受光部３２ｂを隣り同士に配置すると共に報知ＬＥＤ３３をその両側のうちの一方側又は他方側のいずれの位置に配置してもよいし、前記実施形態の順番を逆にして、センサ３２の受光部３２ｂ、報知ＬＥＤ３３、センサ３２の発光部３２ａの順に配置してもよい。
【００６２】
また、前記実施形態においては、水石鹸吐出装置の水石鹸吐出器具において、報知ＬＥＤ３３及び導光部材３２３について説明したが、これに限定されない。例えば、手洗い用の自動水栓や、トイレに使用される洗浄装置などに使用される報知ＬＥＤなどの光源及び導光部材に適用してもよい。また、報知を目的としない、単に手元照明としての光源であってもよい。
【００６３】
また、前記実施形態においては、先端面部３７２を上下方向に延びる構成としたが、上下方向は、垂直方向であってもよいし、垂直方向から僅かに傾いた方向であってもよい。
【符号の説明】
【００６４】
３  水石鹸吐出装置（吐出装置）
３２  センサ（センサ部）
３２ａ  発光部
３２ｂ  受光部
３３  報知ＬＥＤ（光源部）
３４  吐出口部（吐出部）
３２０  センサユニット
３２２  センサ基板（基板）
３２３  導光部材
３７２  先端面部
３７３  傾斜面部
３７３ｄ  センサ窓部材（センサ窓）
【図１】
2018019779.tif 000003
【図２】
2018019779.tif 000004
【図３】
2018019779.tif 000005
【図４】
2018019779.tif 000006
【図５】
2018019779.tif 000007